【手続補正書】
【提出日】平成19年2月5日(2007.2.5)
【手続補正１】
【補正対象書類名】特許請求の範囲
【補正対象項目名】全文
【補正方法】変更
【補正の内容】
【特許請求の範囲】
【請求項１】
サーバまたはデータ蓄積装置に蓄積されたデータを通信媒体を介して受信して再生するデータ受信再生装置において、
第１のデータを蓄積する第１の記憶手段と、
前記第１のデータの再生より後に再生する第２のデータを蓄積する第２の記憶手段と、
前記第１のデータを受信し、前記第２のデータを、前記第１のデータの再生中に前記サーバまたは前記データ蓄積装置から受信する受信手段と、
前記再生中の第１のデータの再生または受信の状態を測定する測定手段と、
前記測定手段により測定された前記第１のデータの再生または受信の状態に基づいて、前記受信手段における前記第２のデータの受信動作を調整する調整手段と、
を具備することを特徴とするデータ受信再生装置。
【請求項２】
前記調整手段は、前記受信手段における前記第２のデータの受信量を任意の量に設定し、前記測定された前記第１のデータの再生または受信の状態に基づいて、前記設定した受信量を調整する、ことを特徴とする請求項１記載のデータ受信再生装置。
【請求項３】
前記調整手段は、前記受信手段における前記第２のデータの受信量を任意の量に設定し、前記測定された前記第１のデータの再生または受信の状態に基づいて、前記第２のデータを前記任意の量毎に受信する間隔を調整する、ことを特徴とする請求項１記載のデータ受信再生装置。
【請求項４】
前記調整手段は、前記第２のデータの受信量を任意に設定し、前記測定された前記第1のデータの再生または受信の状態に基づいて、前記第２のデータの受信を開始する時刻を調整する、ことを特徴とする請求項１記載のデータ受信再生装置。
【請求項５】
前記測定手段は、前記受信手段が受信する前記第１のデータ、及び／又は前記第２のデータの、パケット到着遅延時間、パケットロス率、到着遅延時間のゆらぎ、の少なくとも一つを含むネットワーク統計情報を測定し、
前記調整手段は、前記ネットワーク統計情報に基づいて、前記第２のデータの受信動作を調整する、ことを特徴とする請求項１記載のデータ受信再生装置。
【請求項６】
前記測定手段は、前記第１の記憶手段から前記第１のデータが読み出されて再生されている際に、該第１の記憶手段に蓄積された第１のデータの減少速度を測定し、
前記調整手段は、前記測定手段により測定された第１のデータの減少速度に基づいて、前記第２のデータの受信量、及び／又は受信間隔を調整する、
ことを特徴とする請求項１から請求項４のいずれかに記載のデータ受信再生装置。
【請求項７】
前記調整手段は、前記測定手段により測定された第１のデータの減少速度が０以下の場合は、前記第２のデータの受信量を増加し、及び／又は受信間隔を縮める、ことを特徴とする請求項６記載のデータ受信再生装置。
【請求項８】
前記調整手段は、前記測定手段により測定された第１のデータの減少速度が０以下の場合は、前記第２のデータの受信量、及び／又は受信間隔を変更しない、ことを特徴とする請求項６記載のデータ受信再生装置。
【請求項９】
前記調整手段は、前記測定手段により測定された第１のデータの減少速度が任意の閾値以下の場合は、前記第２のデータの受信量、及び／又は受信間隔を変更しない、ことを特徴とする請求項６記載のデータ受信再生装置。
【請求項１０】
前記調整手段は、前記測定手段により測定された第１のデータの減少速度が任意の閾値以下の場合は、前記第２のデータの受信量を増加し、及び／又は受信間隔を縮める、ことを特徴とする請求項６記載のデータ受信再生装置。
【請求項１１】
前記調整手段は、前記測定手段により測定された第１のデータの減少速度が任意の閾値より大きい場合は、前記第２のデータの受信量を減少し、及び／又は受信間隔を延ばす、ことを特徴とする請求項６記載のデータ受信再生装置。
【請求項１２】
前記調整手段は、前記測定手段により測定された第１のデータの減少速度が任意の閾値より大きい場合は、前記第２のデータの受信を中止する、ことを特徴とする請求項６記載のデータ受信再生装置。
【請求項１３】
前記調整手段は、前記測定手段により測定された第１のデータの減少速度に基づいて、当該第１のデータの再生を正常に継続するために必要な前記第１の記憶手段の下限容量を判別し、下限容量以下になったと判別した場合は、前記第２のデータの受信を中止する、ことを特徴とする請求項６記載のデータ受信再生装置。
【請求項１４】
前記測定手段は、前記第１のデータの再生品質を測定し、
前記調整手段は、前記測定手段により測定された第１のデータの再生品質に基づいて、前記第２のデータの受信量、及び／又は受信間隔を調整する、
ことを特徴とする請求項１から請求項４のいずれかに記載のデータ受信再生装置。
【請求項１５】
前記調整手段は、前記測定手段により測定された第１のデータの再生品質に劣化がない場合は、前記第２のデータの受信量を増加し、及び／又は受信間隔を縮める、ことを特徴とする請求項１４記載のデータ受信再生装置。
【請求項１６】
前記調整手段は、前記測定手段により測定された第１のデータの再生品質に劣化がない場合は、前記第２のデータの受信量、及び／又は受信間隔を変更しない、ことを特徴とする請求項１４記載のデータ受信再生装置。
【請求項１７】
前記調整手段は、前記測定手段により測定された第１のデータの再生品質の劣化度合いが任意の閾値以下の場合は、前記第２のデータの受信量、及び／又は受信間隔を変更しない、ことを特徴とする請求項１４記載のデータ受信再生装置。
【請求項１８】
前記調整手段は、前記測定手段により測定された第１のデータの再生品質の劣化度合いが任意の閾値以下の場合は、前記第２のデータの受信量を増加し、及び／又は受信間隔を縮める、ことを特徴とする請求項１４記載のデータ受信再生装置。
【請求項１９】
前記調整手段は、前記測定手段により測定された第１のデータの再生品質の劣化度合いが任意の閾値より大きい場合は、前記第２のデータの受信量を減少し、及び／又は受信間隔を延ばす、ことを特徴とする請求項１４記載のデータ受信再生装置。
【請求項２０】
前記調整手段は、前記測定手段により測定された第１のデータの再生品質の劣化度合いが任意の閾値より大きい場合は、前記第２のデータの受信を中止する、ことを特徴とする請求項１４記載のデータ受信再生装置。
【請求項２１】
サーバまたはデータ蓄積装置に蓄積されたデータを通信媒体を介して受信して再生するデータ受信再生方法において、
第１のデータを受信して第１の記憶手段に蓄積し、前記第１のデータの再生より後に再生する第２のデータを、前記第１のデータの再生中に前記サーバまたは前記データ蓄積装置から受信して第２の記憶手段に蓄積する受信工程と、
前記再生中の第１のデータの再生または受信の状態を測定する測定工程と、
前記測定された前記第１のデータの再生または受信の状態に基づいて、前記第２のデータの受信動作を調整する調整工程と、
を有することを特徴とするデータ受信再生方法。
【請求項２２】
サーバまたはデータ蓄積装置に蓄積されたデータを通信媒体を介して受信して再生するデータ受信再生装置における、前記データを受信再生処理するためのデータ受信再生処理プログラムであって、
第１のデータを受信して第１の記憶手段に蓄積し、前記第１のデータの再生より後に再生する第２のデータを、前記第１のデータの再生中に前記サーバまたは前記データ蓄積装置から受信して第２の記憶手段に蓄積する受信ステップと、
前記再生中の第１のデータの再生または受信の状態を測定する測定ステップと、
前記測定された前記第１のデータの再生または受信の状態に基づいて、前記第２のデータの受信動作を調整する調整ステップと、
を有することを特徴とするデータ受信再生処理プログラム。